Podtech/llm-jp-corpus-v4-ja_patent huggingface dataset:
(57)【要約】      （修正有）【課題】  従来、各現場にて作業員が溶接加工にて製作・使用していたため、危険であり、かつ多大なコストがかかっていた。本スペーサーの使用により、引っ掛かって転倒しそうになった場合でも、容易に折れ、作業員の安全性を保つし、現場加工の必要も無い。【解決手段】  測量高さ調整可能スペーサーは、スペーサー本体にポイントシャフト取付ボルトを取付、そこへ内部空洞になっているポイントシャフトを差し込む。取付ボルトにはネジ山があり、底部にナットを差込ことにより、高さの微調整ができる。高さ測量用にシャフトにはゲージが刻んであり、現場に応じて簡単に切断できる。また脱着式ボルトを使用する事により、在来スペーサーにも使用できる。【選択図】図１
2007086043.tif 000002
【特許請求の範囲】
【請求項１】
以下の部品、ポイントシャフト取付ボルト、ポイントシャフトを含む測量高さ調整可能スペーサー
（イ）ポイントシャフト取付ボルト
（イー１）スペーサ本体に直接接合してあるボルト
（イー２）汎用スペーサーに取付可能な脱着式クリップ型取付ボルト
（ロ）ポイントシャフト
（イー１）については、直接スペーサーに接合してあり、この本体を直接現場に設置して使用する事ができます。
また現場の状況に応じて、（イー２）の脱着式クリップ型取付ボルトを使用する事により、汎用スペーサーにも使用出切るように考えてあります。
（ハ）のポイントシャフトについては、直接ポイントシャフト取付ボルトに挿入して使用します。本体には切り込みゲージがついており、あらゆる現場の状況や使用箇所に応じ、この目盛を使用する事ができ、ポイントシャフト本体長が長い場合は、ゲージ部が切り込みになっているので、その部分から手動にて用意に切断でき、高さの調整を可能にしてあります。底部にナットを挿入する事により、より高さ微調整が出来るように考えてあります。ポイントシャフトの本体色は、多種多様な現場の環境において適応出きる様に、自由に選択できます。例えば夜間作業の多い現場等では、夜光塗装や蛍光塗装というように、色々な環境にも適応出きる様に考えてあります。勿論その他の色も前述同様選択が可能となっております。
【発明の詳細な説明】
【技術分野】      本発明は、測量高さ調整可能スペーサーに関する。
【背景技術】従来このようなスペーサーが存在しておらず、各現場熟練作業員が毎回手作りにて製作していたので、コストがかかりすぎていました。又材料工具等搬入時及び加工時に事故が発生することもありました。測量高さ調整可能スペーサー使用する事でかなりのコスト削減及び安全対策の効果が得られます。
【発明が解決しようとする課題】
従来各現場単位にて熟練作業員が現場にて溶接加工にて製作し、使用していました。その為、溶接機等の材料・工具類の搬入及び使用場所によっては、火災の発生する材質の上で溶接作業もあり、養生作業も発生し、多大なコストがかかっていましたが、このスペーサーを使用する事により、それらの問題にも解決できます。従来現場で加工していたポイントシャフトは金属性の物を使用しており、作業服や工具等に引っ掛かって転倒するという災害も発生していましたが、手動で折れるように考えてあるポイントシャフトなので、引っ掛かって転倒しそうになった場合でも、容易に折れ、作業員の安全性を保ちます。現場加工の必要が無いため、搬入も容易であります。
【発明の効果】
本発明は、以下に記載されるような効果を奏する
請求項１記載の発明の測量高さ調整可能スペーサーによれば、手動にて用意に切断でき、高さの調整を可能にしてあります。底部にナットを挿入する事により、より高さ微調整が出来るように考えてあります。また、接合してある１体型と脱着式クリップ型の２種類を要することにより、多種多様な現場のどのような状況の箇所にも使用可能であり、様々な設計に対しても対応できるように考えてあります。
【発明を実施するための最良の形態】  以下、測量高さ調整可能スペーサーにかかる発明の実施形態について説明します。
１．図１−１の▲１▼スペーサーは、在来型及び本発明品の２種類があり、形状・大きさについては、どのような物にも対応出きる様に考えてあります。
２．図１−１の▲２▼及び▲４▼は、ポイントシャフト取付ボルトにはネジ山が刻んであります。
スペーサー固定型と在来スペーサー使用時用脱着式クリップ型の２種類あり、それにより、どのタイプのスペーサーに対しても、対応可能となっております。
３．図１−１の▲３▼は、固定型の場合、スペーサーとボルトを接合してあります。
４．図１−１の▲５▼は、脱着式のクリップを表し、在来スペーサーへの取付が容易になるように考えてあります。
５．図１−２の▲１▼ポイントシャフトには▲３▼のよに内部は空洞になっており、ポイントシャフト取付ボルトに簡単に差込固定できるようになっており、▲４▼のナットと底部にはめこむ事により、高さの調整がより微調整できるようにしてあります。▲２▼のゲージは測量時の目盛になっており又、ポイントシャフト高さを自由に切断出切るように切込みも入れてあり、手動にての切断を簡単に出来るようにしてあります。
６．この測量高さ調整可能スペーサーを使用する事により、従来溶接工具及び材料の搬入搬出がなくなります。
７．現場にて熟練工が加工作成する必要が無い為、取付設置するのにおいて、プロでなくても誰でも施工する事が出来る。
８．現場の色んな状況に対応でき、持ち運びも容易である。
９．従来金属でのポイントシャフトであった為、作業服や工具に引っ掛かり転倒事故等も発生していたが、ポイントシャフトを折れやすい形状にしてあるので、安全性に優れている。
１０．来可燃物上での溶接場所もあった為、火災事故防止対策や養生作業も必要であったが、測量高さ調整可能スペーサーを使用する事により、それらは不必要になる。
１１．上記等の項目により、人件費の削減に伴う。
１２．ポイントシャフトの色は、多種多様な現場の環境に合わせ自由に選ぶ事が出来ます。
例えば夜間作業の多い現場等では、夜光塗装や蛍光塗装というように、色々な環境にも適応出きる様に考えてあります。勿論その他の色も前述同様選択が可能となっております。
【図面の簡単な説明】※別紙参照とします。【図１】本発明の測量高さ調整可能スペーサーの１例を示す平面図・正面図・左側面図・右側面図であります。
【図２】本発明のポイントシャフトの１例を示す平面図・正面図であります。
【符号の説明】
図１−１
▲１▼・・・スペーサー
▲２▼・・・固定式ポイントシャフト取付ボルト
▲３▼・・・固定式ポイントシャフト取付ボルト接合部
▲４▼・・・脱着式ポイントシャフト取付ボルト
▲５▼・・・脱着式ポイントシャフト取付ボルトクリップ
図１−２
▲１▼・・・ポイントシャフト
▲２▼・・・ゲージ（切断用切込み）
▲３▼・・・ポイントシャフト内部
▲４▼・・・ナット
【図１】
2007086043.tif 000003
【図２】
2007086043.tif 000004
(57)【要約】【課題】不特定の人の出入りが少ない環境下において利用者以外の人には自由に行動をしにくい環境を作ることで、犯罪を抑止する。【解決手段】カメラ等で記録した情報を画像認識装等を用いて人物を認識し、認識したデータを、データベースにあらかじめ登録されている人物データと比較し、未登録の人が通れば、警報装置等により、案内、警告等のシグナルを出し、監視体制を強化し、未登録者や不審者等が自由に行動をしにくい環境を作ることで、犯罪を抑止する。【選択図】図１
2007226753.tif 000002
【特許請求の範囲】
【請求項１】
カメラ等で記録されたデータを、あらかじめ登録されている人物データと比較し、未登録の人物が通れば、案内、警告等のシグナルを出し、監視体制を強化し、未登録者や不審者等が自由に行動をしにくい環境を作り、犯罪を抑止することを特徴とする犯罪抑止システム。
【発明の詳細な説明】
【技術分野】
【０００１】  本発明は、あらかじめカメラ等で記録されたデータを基に、案内、警告等のシグナルを出し、犯罪を抑止するシステムに関するものである。
【背景技術】
【０００２】  一般の人等が利用する場所や、広範囲にわたり不特定の人が出入りする場所等では、これまでカメラによる監視や、係員の巡廻による監視等が行われている。とくに、スーパー、コンビニエンスストア、店舗、駐車場、金融機関等で多発する犯罪を防止するため防犯カメラが設置されている。また、これらのカメラから映される映像は、一般的に防災センタ、監視室、売上場などに設置されるモニタに映像などで映されたり、録画されたりするものである。【０００３】  しかし、保育所、幼稚園、学校等の不特定の人の出入りが少ない環境下においても同様な監視方法により、犯罪を抑止しようとしている。【０００４】  そのため、利用者以外の人にも出入りすることが可能であり、犯罪を防げないことがある。例えば、侵入した犯人は、監視されていることに気づくと自分の犯罪行為を録画された可能性により、録画装置等を破壊する等の行為に至った場合、犯罪を抑止できないこと、破壊する等の行為に至らなかった場合においても、犯罪が行われてからの捜査に用いられるのに過ぎず、犯罪が起こる前に犯罪を抑止することができていないことが現状である。これらの事を事前に抑止するためには常時監視の為の人員を配置する必要があった。【０００５】  この改善策として、利用者以外の人が通れば、案内、警告等のシグナルを出し、監視体制を強化し、未登録者や不審者等が自由に行動をしにくい環境を作ることが望まれる。【０００６】  さらに、マンション等で敷地を塀などの囲いで覆ってしまうと一見は安全性が高まるように見えるが、一旦その内部に入ってしまうと外からは逆に死角になり、犯罪等を起こしやすい環境になる。また、そのような建築物では震災等の災害時には避難や救助活動が困難になり、最近求められているユニバーサルデザインの環境整備といった観点からもよりオープンな環境での安全性が求められている。
【特許文献１】特開２００２−３１２８６５号公報
【発明の開示】
【発明が解決しようとする課題】
【０００７】  解決しようとする問題点は、不特定の人の出入りが少ない環境下において利用者以外の人にも自由に出入りすることが可能な環境下でも犯罪を抑止できるシステムを提供する点である。
【課題を解決するための手段】
【０００８】  本発明は、正当な利用者を予め登録しておき、未登録の人物が通れば、案内、警告等のシグナルを出し、監視体制を強化し、未登録者や不審者等が自由に行動をしにくい環境を作ることで、犯罪を抑止することを最も主要な特徴とする。
【発明の効果】
【０００９】  本発明の犯罪抑止システムは、カメラ等で記録されたデータを、あらかじめ登録されている人物データと比較し、未登録の人物が通れば、案内、警告等のシグナルを出し、監視体制を強化し、未登録者が自由に行動をしにくい環境を作ることで、犯罪を抑止することができると共に予め登録されている正当な利用者に監視されているとういう圧迫感を与えることなく、また登録者のプライバシーを守れるという利点があり、また、予め不審者を特定して登録しておく必要がなく、更に監視カメラ等の情報を常時人が監視する必要がない利点がある。
【発明を実施するための最良の形態】
【００１０】  カメラ等で記録されたデータを、あらかじめ登録されている人物データと比較し、案内、警告等のシグナルを出し、監視体制を強化し、未登録者や不審者等が自由に行動をしにくい環境を作ることで、扉等のゲートを設けないオープンな環境での犯罪を抑止することができる。【００１１】  図１のシステムでは、カメラとパターン認識により人物を特定している例を示しているが、別個の人物特定手法であれば、その他の特定方法を用いてもよい。【００１２】  図１のシステムでは、案内、警告等のシグナルを出すものであればよく、例えば、スピーカー、ブザー、フラッシュライトなどが用いられる。【００１３】  図１には示していないが、図１の１から４の機器を駆動させる電源部が必要であるが、１から４の機器と電源部は一体型収納で用途により機器を分離して設置しても構わない。
【実施例１】
【００１４】  以下、本発明の実施例について、図１を基に詳細に説明する。図１は装置を構成する本システムを示す。【００１５】  図１のカメラ１は高性能のカメラであって、ＣＣＤカメラを用いた。【００１６】  図１の画像認識装置２は高性能の画像認識装置であって、Ｔａｋｕｍｉ  Ｖｉｓｉｏｎ株式会社製の、パターンマッチングを用いた高性能の顔認識エンジンによる画像認識装置を用いた。【００１７】  図１のデータベースエンジン３はデータベースエンジンを搭載し、登録管理に必要な外部接続インターフェースを有する小型コンピューターである。【００１８】  図１の警報装置４は案内、警告等のシグナルを出すものであって、スピーカーを用い鳥のさえずり音を用いた。【００１９】  図１のシステムは、カメラ１で撮影した画像を画像認識装置２を用いて顔を認識し、認識したデータを、データベース３にあらかじめ登録されている顔パターンと比較し、未登録の人が通れば、警報装置４により、案内、警告等のシグナルを出す。
【産業上の利用可能性】
【００２０】  本発明は、保育所、幼稚園、学校等の不特定の人の出入りが少ない場所において予め登録された特定の人に対して監視されているという圧迫感を与えることなく、また登録者のプライバシーを犯すことなく、犯罪の抑止に役立つものである。
【図面の簡単な説明】
【００２１】
【図１】システム例である。（実施例１）
【図１】
2007226753.tif 000003
(57)【要約】【課題】古くから遊びに使われているカルタ文化を利用して、理科実験に使用する器具の形や名称、使い方や使用上の注意点および、実験器具の関係性を楽しみながら学ぶ一般教具を提供する。【解決手段】表面に理科実験器具の１．グループ分けの記号と２．イラストを掲載し、裏面にその器具の３．名称や４．使い方、５．使用上の注意点に関する情報を記載したカルタであり、イラストの描かれた表面を並べ、実験器具の名称や使い方、使用上の注意を合図にカルタ遊びを行いながら、楽しく学習することができ、グループ分けの記号を参考にカルタを集める遊びを行うことにより、実験器具の関係性も楽しく学習することができるカルタである。【選択図】図１
2007226163.tif 000002
【特許請求の範囲】
【請求項１】
表面に理科実験器具のグループ分けの記号とイラスト、裏面に名称と使い方及び使用上の注意点が掲載されていることを特徴とするカード学習装置。
【請求項２】
［請求項１］における、グループ分けの記号を記載することで、理科実験の使用目的に対応した実験器具のグループ分けと関係性を学べることを特徴としたカード学習装置。
【発明の詳細な説明】
【技術分野】
【０００１】一般教材として、短歌やことわざ、漢字などをカルタ遊びで楽しく覚えさせる学習に使うカルタの分野
【背景技術】
【０００２】実験器具の名称と使い方及び使用上の注意点は、実験を通して学ぶことが多く、実験器具の形状や名称、使い方や使用上の注意点を覚えるかたわらで、実験の手順を意識して進行しなければならず、十分な定着が図ることが困難であった。また、一度覚えた実験器具の名称や使い方も、使う機会がないと忘れてしまうという一面も見られた。つまり、理科実験器具に関する様々な情報を効率よく学べる一般教材の提供が、これまでは十分ではなかった。一方、百人一首やいろはカルタ、漢字カルタなど、カルタを用いた一般教材は、古くから学習場面で用いられている。カルタは、遊びを通して楽しく学ぶことができる教材として利用価値が高く、なかなか覚えにくい情報を意欲的に身につけることにできる。また、イラストが描かれたカルタは映像記憶の働きによってより効果的に情報を身につけることができる。理科実験器具も同様にイラストを利用したカルタを用いることで楽しく覚えることができるため、実験器具のイラストや名称、使い方や使用上の注意点、グループ分けの記号を掲載したカルタの発明に至った。
【発明の開示】
【発明が解決しようとする課題】
【０００３】古くから遊びに使われているカルタ文化を利用して、理科実験に使用する器具の形や名称、使い方や使用上の注意点および、実験器具の関係性を楽しみながら学ぶ一般教具を提供する。
【課題を解決するための手段】
【０００４】カルタの表面に理科実験器具の１．グループ分けの記号と２．イラストを掲載し、裏面にその器具の３．名称や４．使い方、５．使用上の注意点に関する情報を記載したカルタであり、イラストの描かれた表面を並べ、実験器具の３．名称や４．使い方、５．使用上の注意を合図にカルタ遊びを行いながら、楽しく学習することができ、▲１▼グループ分けの記号を参考にカルタを集める遊びを行うことにより、実験器具の関係性も楽しく学習することができるカルタである。
【発明の効果】
【０００５】カルタの表面の理科実験器具の１．グループ分けの記号と２．イラストを記載するシンプルなカルタであるため、映像記憶を中心に名称および使い方と使用上の注意点を関連づけて記憶することができる。また、通常カルタは上の句と下の句の一対一の対応で行うが、理科実験器具カルタは、実験器具の３．名称や４．使い方、５．使用上の注意点を上の句にすることができ、３パターンを使い分けることで、より発展的な学習を展開することが可能になる。さらに、カルタ裏面に記載された情報（１．名称２．使い方３．使用上の注意点）を確認しながらも遊べる点で、効果的な学習が行え、カルタ遊びを通して実験器具の知識を深めることが可能である。さらに、一方、理科の実験器具は、実験の目的によって使い分けられるため、その使い分けでグループを構成することができるが、この１．グループ分けを記号化し記載することで、単にイラストを用いたカルタと違い、視覚的に実験器具の関係が認識でき、より実践的に情報を身につけることができる。
【発明を実施するための最良の形態】
【０００６】表面に理科実験器具の１．グループ分けの記号と２．イラストを記載し、裏面に３．名称および４．使い方と５．使用上の諸注意を記載するカルタを、耐久性のある紙に印刷する。１．グループ分けの記号は、グループごとに色分けをする。
【実施例】
【０００７】理科実験器具の名称または使い方や使用上の注意点を唱え、その器具のイラストが描かれたカルタを取る遊びを実施する【０００８】ある実験に使用する実験器具を、イラストとグループ分けの記号を頼りに、並べられたカルタから選んで集める遊びを実施する。
【産業上の利用可能性】
【０００９】教育現場で、理科実験器具の名称や使い方、使用上の諸注意について学習する場面において、理科実験カルタを使用することで児童および生徒が意欲的に学習できる教材として利用が可能である。
【図面の簡単な説明】
【００１０】
【図１】  理科実験カルタの表面を示した平面図である。
【図２】  理科実験カルタの裏面を示した平面図である。
【符号の説明】
【００１１】１．理科実験器具のグループ分けをするための記号
２．理科実験器具の形を示したイラスト
３．理科実験器具の名称
４．理科実験器具の使い方
５．理科実験器具の使用上の注意点
【図１】
2007226163.tif 000003
【図２】
2007226163.tif 000004
(57)【要約】      （修正有）【課題】のぼり旗の絡みを防止する金具を提供する。【解決手段】のぼり旗のポール６を上下に抵抗なく移動できるような、バネ２を上に取付けた錘１を引掛け部３により乳７Ａに取り付ける。バネ付の錘により、強風に煽られたり、強弱の風によっても、のぼり旗はポールを上下に移動したり、回動したりするがのぼり旗はポールに絡らんだり、捲れることもない。【選択図】図４
2007226162.tif 000002
【特許請求の範囲】
【請求項１】
のぼり旗に利用するポールの外径寸法よりやや大きめのリング状の錘と、前記錘の上に伸縮するバネを取付て、バネの上部の外周にのぼり旗の乳に接続できるよう取付の金具を構成したことを特徴とするのぼり旗の絡み防止装置。
【発明の詳細な説明】
【技術分野】
【０００１】  本発明は、のぼり旗を強風にたいして安定した状態を維持することに関する。
【背景技術】
【０００２】  従来、ポールに取付けたのぼり旗を安定して自立する方法に様々な工夫する物がある。【０００３】  のぼり旗の防止具はポールが貫通する筒状空間部と２個のスリット状の溝を備えた円筒状体である。（例えば特許文献１参照）
また、ポールの外形より僅かに大きな内径とする筒状の本体と、その外周に下端をフック、及び折曲げたその端部が外周面に接触する下向きのフックを一体形成した構成としたものである。（例えば特許文献２参照）【０００４】
【特許文献１】      特開平９−３２５７２１号広報
【特許文献２】      実用新案登録第３０９９３５５号広報
【発明の開示】
【発明が解決しようとする課題】
【０００５】  しかしながら、従来これらの方法において下記のような問題がある。
特許文献１、特許文献２において、強風に煽られて上昇する時、上昇を防ぐものであるが、風の強弱の変化や、のぼり旗の面積の広さによって上下の制御が変化する。よって、旗の面積によって錘の重さを替えなくればならないものである。【０００６】  そこで本発明は以上のような欠点を鑑み、屋外に設置したのぼり旗が、強風に呷られ続けてものぼり旗の効果を十分に発揮できることを提供するものである。
【課題を解決するための手段】
【０００７】  上記の課題を解決するため、本発明はポールじょうを上下に移動できるバネ付錘を取付ける。バネ付錘は錘の上にバネ設けて、バネは錘の自重によって伸縮できるように構成する。
前記バネ付錘をポールに通して、のぼり旗の最下部の乳に着脱できるように取付ける。
よって、のぼり旗が強風によって上昇するがバネと錘のバランスによって伸縮したり、錘自体の重さによってのぼり旗の上昇続けることを防ぎ、ポールに絡むことを防止するものである。よって上昇下降が滑らかな動きをするよう構成する。
【発明の効果】
【０００８】  本発明は、以上説明したように構成されているので、以下に記載されているような効果を奏する。【０００９】  請求項１記載の発明によれば、ポール状に取付けたのぼり旗が錘上部のバネの伸縮によって上昇下降が滑らかな作用をすることで、強風による力を吸収を促進して一層の安定感を発揮する効果があるものである。したがって、ビル風や強風に呷られても下部の乳に取付けたバネ付の錘によって、上昇続けることを防ぎ、上端の絡みを防ぐことで長期間安定した効果を発揮するものである。さらに、着脱金具によって乳より取り外し、他ののぼり旗に取付けることも容易にできる便利な効果がある。
【発明を実施するための最良の形態】
【００１０】  本発明ののぼり旗の絡み防止装置の実施形態について図面を参照して説明する。
図１は本発明の全体を側面から見た図であり、図２は本発明を上から見た正面の図である。図３は本発明の全体を斜めから見た図である。図５は本発明をポールに通してのぼり旗に取付けた図である。【００１１】  重さのある金属、おるいは非金属をリング状に形成した錘１にして、その中空の径はのぼり旗５を取付けるポール６の径より大きく設けて、錘１の上に錘１と同じ形状のバネ２取り付ける。【００１２】  バネ２はのぼり旗５と錘１のバランスによって柔軟な伸縮するようにした構成である。
バネ２の上部にしっ掛取付け金具４を設けて、その両端にしっ掛部３を取付ける。【００１３】  なお、しっ掛部３は、フック状やクリップ状などが可能である。【００１４】  よって、本発明におけるのぼり旗の絡み防止装置の実施形態について説明する。【００１５】  図５に示すように、ポール６にのぼり旗５を取付けて、バネ２付の錘１をポール６に通して、しっ掛部３をのぼり旗５の下部の乳７Ａにしっ掛けて取付ける。【００１６】  したがって、ポール状６に取付けたのぼり旗５は、強風や強いビル風に煽られ続けられと、のぼり旗５は次第にポール６を上昇するが（図４に示すように、Ａの方向にしかれる。）、ある程度上昇するが錘１の重力とバネ２の作用によってバネ２がやや伸びるものの（図４に示すように、Ｂ方向にやや伸びる。）、錘１とのバランスによって、のぼり旗５は下降する。このようなことを繰り返すことで、滑らかな上昇下降をするよう働くものである。【００１７】  よって、常に上昇下降を繰り返しポール６や上端の横ポール７に絡まず安定した状態を保つものである。
【図面の簡単な説明】
【００１８】
【図１】  本発明の実施例における側面図である。
【図２】  本発明の実施例における正面図である。
【図３】  本発明の実施例における斜視図である。
【図４】  本発明の実施例において、強風に煽られのぼり旗が上昇して、バネが伸びた状態の腰部側面図である。
【図５】  本発明の第一実施例の利用したのぼり旗の状態を説明する図である。
【符号の説明】
【００１９】１は錘                                      ２はバネ
３はしっ掛部                                ４はしっ掛取付金具
５はのぼり旗                                ６はポール
７、７Ａは乳                                ８は横ポール
【図１】
2007226162.tif 000003
【図２】
2007226162.tif 000004
【図３】
2007226162.tif 000005
【図４】
2007226162.tif 000006
【図５】
2007226162.tif 000007
(57)【要約】【課題】指紋認識誤りを防止する指紋認識センサ取り付け構造を提供することを目的とする。【解決手段】スイープ方式の指紋認識センサ取り付け構造であって、スイープする指が指紋認識センサに至る手前に、指汚れ除去手段を配置することを特徴とする。【選択図】図１
2007226378.tif 000002
【特許請求の範囲】
【請求項１】
スイープ方式の指紋認識センサ取り付け構造であって、スイープする指が指紋認識センサに至る手前に、指汚れ除去手段を配置することを特徴とする指紋認識センサ取り付け構造。
【請求項２】
請求項１に記載の指紋認識センサ取り付け構造であって、
指汚れ除去手段は、弾性素材を用いることを特徴とする指紋認識センサ取り付け構造。
【請求項３】
請求項１に記載の指紋認識センサ取り付け構造であって、
指汚れ除去手段は、着脱自在であることを特徴とする指紋認識センサ取り付け構造。
【請求項４】
請求項１、請求項２、或いは請求項３に記載の取り付け構造による指紋認識センサを搭載した装置。
【発明の詳細な説明】
【技術分野】
【０００１】
本発明は、指紋認識センサ取り付け構造に関し、特に、指の汚れによる指紋認識誤りを防止する指紋認識センサ取り付け構造に関する。
【背景技術】
【０００２】
パーソナルコンピュータ、携帯電話等の装置においては、内部データの漏洩、或いは改竄を防止するために、使用を許可する者を限定し、使用を許可された者以外の使用を禁止する、種々のセキュリティ対策が施されている。
【０００３】
例えば、使用を許可する者の指紋を予め装置に登録しておき、装置に搭載した指紋認識センサで読み取った指紋と登録された指紋とを照合し、それらが同一と判定された場合のみ、装置へのアクセスを許可する。
【０００４】
指紋認識センサには、縦方向、および横方向に多数個並べた微小電極に指の腹を押しつけ、一度にデータを読み取る面型指紋認識センサと、横方向に並べた微小電極に対し縦方向に指を滑らせ、順次指紋データを読み取って行くスイープ型指紋認識センサとがある。
【０００５】
いずれの指紋認識センサも微小な電極の電荷の変化を読み取るため、指が帯電していると指紋を正しく認識できず、また、帯電量が多いと、指紋認識センサを破壊する場合がある。
【０００６】
従来、指紋認識センサの破壊を防止する指紋認識センサ搭載構造が開示されている。（特許文献１参照）
【特許文献１】特開２００１−３５７３９０号公報  特許文献１に記載の構造では、図４に示す従来例のごとく、認識対象の指が指紋認識センサに触れる前に触れるように配置された鉄製のグランドプレート、あるいは静電ブラシが取り付けられている。これにより、指紋認識対象の指が静電気を帯びた場合であっても、認識対象の指から静電気を除去し、もって指紋認識センサの破壊を防止する。
【発明の開示】
【発明が解決しようとする課題】
【０００７】
認識対象の指は、静電気の他にも油等の汚れを伴う場合が多い。このような汚れは、指紋認識センサの検出面上に残留指紋として残り、指紋認識誤りの原因となる。
【０００８】
特許文献１に記載の構造は、静電気による指紋認識センサの破壊を防止する効果は期待できるものの、汚れによる指紋認識率低下を防止する効果は期待出来ない。
【０００９】
本発明は、指紋認識誤りを防止する指紋認識センサ取り付け構造を提供することを目的とする。
【課題を解決するための手段】
【００１０】
第一の発明は、スイープ方式の指紋認識センサ取り付け構造であって、スイープする指が指紋認識センサに至る手前に、指汚れ除去手段を配置することを特徴とする。
【００１１】
第二の発明は、第一の発明に記載の指紋認識センサ取り付け構造であって、指汚れ除去手段は、弾性素材を用いることを特徴とする。
【００１２】
第三の発明は、第一の発明に記載の指紋認識センサ取り付け構造であって、指汚れ除去手段は、着脱自在であることを特徴とする。
【００１３】
第四の発明は、第一の発明、第二の発明、第三の発明に記載の取り付け構造による指紋認識センサを搭載した装置。
【発明の効果】
【００１４】
本発明により、毎回、認識対象の指の汚れを除去し、もって、指紋認識誤りを防止する装置を提供することが可能となる。
【発明を実施するための最良の形態】
【００１５】
図１は、本発明の取り付け構造による指紋認識センサを搭載した装置の例を示す。指紋認識センサが取り付けられた装置を使用する者は、予め当該装置に使用する指の指紋を登録しておく。当該装置の使用開始にあたり、当該装置を使用する者は、指汚れ除去手段１２の上に指を置き、矢印方向に指をスイープする。これにより指は、スイープ型指紋認識センサ１１上を通過する直前に指汚れ除去手段１２の上を通過し、指の汚れが除去される。
【実施例１】
【００１６】
図２は、本発明による指紋認識センサ取り付け構造を採用したノートパソコンの実施例１を示す。
【００１７】
なお、指紋認識センサを面型指紋認識センサとし、指をスイープさせて指紋を読み取らせても良い。
【００１８】
また、指汚れ除去手段１２として、スポンジ、ブラシ、布等の柔らかい拭き取り性能の良い素材を用いることが好ましい。
【実施例２】
【００１９】
図３は、実施例２に示すノートパソコン１において、さらに指汚れ除去手段１２を着脱自在な取り付け構造とした平面図、および側面図を示す。実施例２においては、図２に示すノートパソコン１上の指汚れ除去手段１２の設置位置に面ファスナー１４を埋設し、かつ、指汚れ除去手段１２の裏面に面ファスナー１３を設ける。面ファスナー１４の埋設深さは、指汚れ除去手段１２を取り付けた状態で、指汚れ除去手段１２の表面と、スイープ型指紋認識センサ１１の表面とが、ほぼ同一面上となる深さとする。
【００２０】
面ファスナー１３、および面ファスナー１４の組み合わせにより、ノートパソコン１から指汚れ除去手段１２が着脱自在となり、指汚れ除去手段１２の洗浄、あるいは交換による再生を可能とする。
【図面の簡単な説明】
【００２１】
【図１】本発明による指紋認識センサの取り付け構造例
【図２】実施例１
【図３】実施例２
【図４】従来例
【符号の説明】
【００２２】
１      ノートパソコン
１１    スイープ型指紋認識センサ
１２    指汚れ除去手段
１３、１４    面ファスナー
【図１】
2007226378.tif 000003
【図２】
2007226378.tif 000004
【図３】
2007226378.tif 000005
【図４】
2007226378.tif 000006
(57)【要約】【課題】現在個人商店の営業中の店頭でも、在庫確認や納期確認のためパソコンの使用は増加しているが、レジスターと一体化していないため、パソコンの設置が費用の嵩む店頭スペースの有効利用を妨げている。店頭販売においては接客を行っていない時間には、パソコンを使用しての事務処理が行えるのにレジスターと一体化した装置がないため、就業時間が無駄に浪費されている。一体型装置がない理由のひとつが、機能が更新されると装置一式を買い換えなければならないことにある。【解決手段】以上の課題を解決するために、第一発明は、機能更新可能な、金銭登録機とパソコンを一体化した装置。第二発明は、オプションとしての他のパソコンとのシンクロ機能である。【選択図】図１
2007226490.tif 000002
【特許請求の範囲】
【請求項１】
機能更新可能な、金銭登録機（レジスター）とパソコンを一体化した装置。
【請求項２】
請求項１の装置の他のパソコンとの同期シンクロ機能。
【発明の詳細な説明】
【技術分野】
【０００１】
金銭登録機とパソコン、パソコン間の通信に関する。
【背景技術】
【０００２】
電子式金銭登録機、パソコン。
【発明の開示】
【発明が解決しようとする課題】
【０００３】
現在個人商店の営業中の店頭でも、在庫確認や納期確認のためパソコンの使用は増加しているが、レジスターと一体化していないため、パソコンを設置したことが費用の嵩む店頭スペースの有効利用を妨げている。店頭販売においては接客を行っていない時間には、パソコンを使用しての事務処理が行えるのにレジスターと一体化した装置がないため、就業時間が無駄に浪費されている。一体型装置がない理由のひとつが、機能が更新されると装置一式を買い換えなければならないことにある。
【課題を解決するための手段】
【０００４】
以上の課題を解決するために、第一発明は、機能更新可能な、金銭登録機とパソコンを一体化した装置。第二発明は、オプションとしての他のパソコンとの同期シンクロ機能である。
【発明の効果】
【０００５】
機能更新が起きる度に金銭登録機を買い換える必要がなくなる。接客を行っていない時間にパソコンによる事務処理が行える。接客時にはパソコンを使用することによりより高度な接客営業が可能となり、売上増が期待出来る。
【発明を実施するための最良の形態】
【０００６】
本発明は金銭登録機とパソコンを一体化した形態を持つ。使用期間の長い航空機等ではよく採用される設計だが、レジスターとパソコンのハードを含む機能更新（アップグレード）の何回かを、別々に行える設計とし、レジスター、パソコンとも互いに共用の周辺機器のような接続方法を基本構造として持つ。これは例えばパソコンを買い換えても、プリンターは引き続き使え、プリンターを買い換えても、古いパソコンから印字出来るのに似ている。このような設計を可能とするため、少々体積は大きくなるが、レジスターとパソコンを別々に設置するより占有面積ははるかに小さくなる。レジスターへの切り替え用Hotキーを備えるため、接客時には瞬時にレジスター機能のみに切り替えることが出来る。Hotキーを押し下げると、パソコン機能は、いかなる作動状態でも安全確実に作業を一次停止状態とし、それまでのデータを保管する。停電対策も十二分に装備する。逆にパソコンへの切り替え用Hotキーも備えるため接客終了後瞬時にパソコン機能を使用できる。オプションとしての同期シンクロ機能は、レジパソと全く同じ状態のパソコン又は、家庭サーバー内の１区画が生成される機能。どちらの内容が変更されても、無線、有線で直ちにもう１つの内容が変更される。この機能により店頭でも、事務室でも特定のパソコン作業を一貫して遂行することが出来る。又この機能の通信技術を利用し店内の防犯カメラによる監視を事務室で行うことも可能となる。標準機能として装備する非同期シンクロ機能により、機能更新を業者持ち帰りで実施することが出来る。その間の通常業務は業者貸し出し機で行う。
【０００７】
「実施形態の効果」
機能更新が可能なため、高級パソコンを購入しないことによるコストの削減が実現出来る。
【０００８】
「他の実施形態」
客側にも情報表示部を設けて、目玉商品等を告知する。ＰＯＳ読み取り装置、カードリーダーの追加。
【図面の簡単な説明】
【０００９】
【図１】この発明の一実施形態の斜視図を示す。
【符号の説明】
【００１０】
「図１」における符号  
１  レジスターのキー部（ブロック別のキー配列を採用）
２  レジスターＨｏｔキー                ３  レシート印刷部
４  客側ディスプレイ                    ５  統合表示画面
６  レジスター情報表示部                ７  パソコン情報表示部
８  パソコンＨｏｔキー                  ９  メインキー
１０  コードレスキーボード（テンキーはレジスターと共用する）
１１  ウルトラパッド（マウスの代用）    １２  メディアスロット
１３  ＤＶＤマルチドライブ              １４  レジスター、パソコン分割壁
１５  ドロアキー                        １６  ドロア
【図１】
2007226490.tif 000003
(57)【要約】【課題】充填される化粧料に対して変質等の悪影響を与えることや皮膚に対する有害な物質が溶出する等の問題が発生せず、経時的に水分が透過することがなく、しかも使用性に優れたスポイド素材の提供並びに当該素材を用いた化粧料用スポイド容器の提供。【解決手段】可塑性エラストマーの中でも水分透過性が少なく、有害な不純物の溶出が少ないスチレン系エラストマーをスポイド素材とすることで使用性に優れ、水分透過性が少なく、有害な不純物が溶出しないスポイド素材の提供が可能となり、また、スチレン系エラストマーにポリプロピレンをスチレン系エラストマー１に対してポリプロピレンを１／１０００〜１／２の比率で混合することにより生産コストを低減させることが可能となり、より汎用的な素材の提供を可能にしたのものである。【特許請求の範囲】
【請求項１】
（Ａ）スチレン系エラストマーからなることを特徴とするスポイド素材。
【請求項２】
（Ａ）スチレン系エラストマー及び（Ｂ）ポリプロピレンを混合した組成物からなることを特徴とするスポイド素材。
【発明の詳細な説明】
【技術分野】
【０００１】
本発明は、スポイド素材に関し、特に、エッセンス類等の化粧料の容器に用いられるスポイドの素材に関する。
【背景技術】
【０００２】
従来、化粧料の容器に用いられるスポイドの素材は、使用性から弾力性に富んだシリコーンゴムやＮＢＲゴムが用いられている。シリコーンゴムにおいては、水分の透過性が著しい為、容器内に充填される化粧料の特性を考慮すると、保存性上好ましくない。一方、ＮＢＲゴムは、製造過程で添加される可塑剤等の不純物の影響により、充填された化粧料が変臭や変色等の経時的な変質や不純物等の影響と思われる皮膚刺激が発生する虞がありという問題点があった。
【０００３】
また、前記問題点を踏まえ、スポイドを用いた化粧料の容器では、使用後の保存、特に季節を跨る長期の保存においては、保存用の簡易キャップをつけ、使用時にスポイドに付け替える等の方法が用いられてきた。しかし、使用上は、前記作業は不便であり、毎日使用する場合は特に煩わしさを感じていた。
【０００４】
しかしながら、近年、上記問題点を解決するための検討がなされているが、十分に満足できるスポイド用素材の提案はなされていない。
【発明の開示】
【発明が解決しようとする課題】
【０００５】
解決しようとする課題は、充填される化粧料に対して変質等の悪影響を与えることや皮膚に対する有害な物質が溶出する等の問題が発生せず、経時的に水分が透過することがなく、しかも使用性に優れたスポイド素材の提供並びに当該素材を用いた化粧料用スポイド容器の提供である。
【課題を解決するための手段】
【０００６】
上記課題を解決するため、発明者は鋭意研究を重ねた結果、熱可塑性エラストマーの中でも水分透過性が少なく、有害な不純物の溶出が少ないスチレン系エラストマーをスポイド素材とすることで使用性に優れ、水分透過性が少なく、有害な不純物が溶出しないことを見出し、またスチレン系エラストマーにポリプロピレン（以下、ＰＰと記す。）特定量混合することにより生産コストの低減を可能とし本発明の完成に至った。
【０００７】
即ち、本発明のスポイド素材は、スチレン系エラストマーをスポイド素材に用い成形することにより、使用性に優れた適度な弾力性を有し、十分な密閉性を確保でき、しかも充填物に対する変質や有害不純物の溶出等の悪影響を与えることがない極めて有用なスポイド素材であることを見出し、そのスチレン系エラストマーにＰＰをスチレン系エラストマー１に対してＰＰを１／１０００〜１／２の比率で混合することにより生産コストを低減しより汎用的な使用を可能にしたのものである。
【発明の効果】
【０００８】
本発明のスポイド素材は、極めて良好な使用感触と優れた材質安定性を有するため、化粧料容器に汎用的に使用することを可能とした。
【発明を実施するための最良の形態】
【０００９】
本発明に用いることができるスチレン系エラストマーは熱可塑性エラストマーであり、室温でゴム弾性体である共重合体であり、部分的に又は完全に水素添加されたものを指す。例えば、スチレン−ブタジエン共重合体の水添物（ランダム共重合体、ブロック共重合体、グラフト共重合体等）が挙げられる。そして、スチレン含量は本発明の効果が現れる範囲であれば制限されない
【００１０】
本発明に用いることができるＰＰは特に制限はなく、化粧料容器に汎用されているＰＰが好ましい。
【００１１】
本発明のスポイド素材に用いるスチレン系エラストマーは単独でも良いが、混合して用いる場合は、スチレン系エラストマーとＰＰの混合比率はスチレン系エラストマー１に対してＰＰが１／１０００〜１／２が好ましく、更にスチレン系エラストマー１に対してＰＰが１／２０〜１／３が好ましい。
【実施例】
【００１２】
以下、実施例を挙げて本発明を具体的に説明する。なお、本発明はこれに限定されるものではない。
【００１３】
本発明の水分透過性を表１に示す。水分透過性の試験方法は以下の通りである。
【００１４】
（試料）市販の化粧料（アロデュウ  エッセンス：ナリスアップコスメティックス社製）
（方法）表１の各素材で成型したスポイド容器を準備し、上記美容液を３０ml充
填し、三洋電機社製インキュベーターに４０日間投入（１日おきに−５℃と４５℃になるように設定した条件）し、充填物の減少量を比較した。
【００１５】
【表１】
2007161292.tif 000002
【００１６】
本発明のスポイド素材が充填物に与える影響を確認する方法及び結果を表２に示す。
【００１７】
（試料）市販の化粧料（アロデュウ  エッセンス：ナリスアップコスメティックス社製）
（方法）表２の各素材で成型したスポイド容器を準備し、上記美容液を３０ml充
填し、三洋電機社製インキュベーターに１４日間投入（１日おきに−５℃と４５℃になるように設定した条件）し、充填物の状態変化を確認した。
【００１８】
【表２】
2007161292.tif 000003
【００１９】
本発明のスポイド素材に使用性についての確認方法及び結果を表３に示す。
【００２０】
（方法）表３の各素材で成型したスポイド容器を準備し、上記美容液を３０ml充
填し、２０代〜４０代の健常女性パネラー１０名に使用させ、スポイドの使用性について官能評価を３段階（良好，普通，悪い）で実施した。
【００２１】
【表３】
2007161292.tif 000004
【００２２】
水分透過性、充填物に与える影響及び使用性に関する評価にコスト評価を加え、総合評価を表４に示す。
【００２３】
【表４】
2007161292.tif 000005
【００２４】
表１〜表４に示すように、本発明のスポイド素材は従来素材に比べ、水分透過性、充填物に与える影響、使用性に関する評価及びコストに関する全ての項目において同等以上の優れた評価を示した。また、成形性においても、インジェクション成型が可能で従来の素材と比較しても同等以上の成形性を示し、多様な形状やサイズへの対応も可能である。
【産業上の利用可能性】
【００２５】
本発明は、スポイド素材として極めて優れているため、化粧料容器として広く利用が期待できるものである。
(57)【要約】      （修正有）【課題】更年期障害閉経後のホルモン分泌不足,パーキンソン病等に有効な新規経口組成物の提供。【解決手段】粉末のザクロ、粉末のコラーゲン及びパン酵母又はＡＭＰとメラニン色素からなる相乗効果のある混合クリーム。【効果】美肌効果、下肢静脈瘤、及び皮膚ガンの予防改善に有効である。【選択図】なし【特許請求の範囲】
【請求項１】
粉末のザクロと粉末のコラーゲン及びパン酵母またＡＭＰとメラニン色素を共存させ各種混合にしてなるサプリメントの相乗効果を併用美肌効果と下肢静脈瘤及び皮膚ガンの予防改善目的の混合クリームを提供
【請求項２】
粉末のザクロは美肌保湿更年期障害を吹き飛ばすカリウムやビタミンＣのほか有機酸が豊富に含有しシミ小じわ下肢静脈瘤の予防改善に効果を発揮する
【請求項３】
粉末のコラーゲンは皮膚組織で細胞と細胞をつなぎ酵素や栄養を供給し老廃物を取り除くエラスチンはコラーゲンとコラーゲンを結びつけ紫外線の影響でエラスチンがなくなるとシミ小じわができる
【請求項４】
パン酵素より抽出した水溶性エキス核酸アミノ酸ビタミンミネラルなど肌に必要なものを多く含有し美肌保湿角質柔軟剤としての主成分またカリウムは細胞や赤血球に含有細胞の水分調節に働く
【請求項５】
アルギン酸は混合クリームの美肌作用の保湿剤としてスクアレンは肌に含まれるスクアランを補給しつや肌をつくるビタミンＥは細胞の酸化老化を防ぎ過酸化脂質の生成を抑え血管を強化不足すると細胞の老化が進行
【請求項６】
加齢変化に伴い化粧品の作用は異なるメラニンは大切な働きがありそのメラニンの働きを保ちながら肌の新陳代謝を促す新しい混合クリームが開発した
【請求項７】
皮膚のターンオーバーは５０才をすぎると４５日となり４０才以下は３０日のサイクルで生まれ変わるこのサイクルの中でシミ小じわの生成にかかわるのが黒色のメラニン色素
【請求項８】
紫外線が肌に当たると基底層にあるメラニン生成細胞でメラニンがつくられ基底層の細胞に渡されこのメラニンが表皮に局所的に蓄積するとシミ小じわになる
【請求項９】
肌の生まれ変りが遅くなるとメラニンの排出が遅れて表皮にシミ小じわとなって現れまた角層が厚くなる
【請求項１０】
日焼のあとメラニンが増えるのは紫外線の害から肌を守るためメラニン色素の本来の役割は紫外線から肌を守る日除
【請求項１１】
従来の化粧品はメラニンの生成を抑えることが大部分元来メラニンの少ない白人に比べ日本人の肌にシミ小じわが少なく皮膚ガンの発生率が低いのは日本人の皮膚に過度のメラニンが存在することによる
【発明の詳細な説明】
【技術分野】
【０００１】閉経後のホルモンの分泌不足のバランス調整及びパーキンソン症等の対応は粉末のザクロと各種効果量配合比にしてなるサプリメントの相乗効果を併用した経口組成物を提供する
【背景技術】
【０００２】更年期障害とパーキンソン症の予防改善にカリウムやビタミンＣクエン酸リンゴ酸などカルシウムの吸収を促進する有機酸を多く含有する各種混合にしてなる経口組成物に粉末のザクロを共存させて提供する
【発明の開示】
【発明が解決しようとする課題】
【０００３】粉末のザクロは女性ホルモンと同じ科学構造を持つ植物性ホルモンを有し閉経後のホルモンの分泌不足またエストロゲンの分泌低下によるパーキンソン症の対応は各種混合にしてなる経口組成物を補充する
【課題を解決するための手段】
【０００４】更年期障害閉経後のホルモンの分泌不足また卵巣細胞や黄体から分泌されるエストロゲンやプロゲステンの分泌低下が誘因のパーキンソン症四徴候の振戦固縮無動姿勢保持障害等々予防改善に各種混合にしてなるサプリメントの相乗効果と紛末のザクロを共存させる粉末のザクロは女性ホルモンと同じ化学構造を持つ女性ホルモンを有し分泌不足が全ての共通原因の更年期障害閉経後のホルモン不足またパーキンソン症四徴候等々の予防改善により際立った効果を奏する経口組成物
【発明の効果】
【０００５】粉末のザクロは更年期障害を吹き飛ばすカリウムやまた女性ホルモンと同じ科学構造を持つ植物性ホルモンを有しホルモンのバランス調整とパーキンソン症の予防改善に際立った効果を奏する
(57)【要約】【課題】従来、人体の皮膚表面に所望の絵を描くボディアートは芸能関係において良く知られているが、これらは直ぐに洗い流すことによって元に戻している。一方で、自分にしかない絵柄を求めて入れ墨を身体に残す方法も知られているが、この場合、一旦、人体に入れた入れ墨は消去ができず、無理に消去する場合にはケロイドが残るという問題があった。【解決手段】本発明は、食物質色素を用いて刷り込みを続けると、これらの色素が皮膚に染み込み３ヶ月〜５年間皮膚表面に残ることを見いだし、刷り込みと周囲の微修正を繰り返して部分的に鮮明な絵柄を刷り込んだ消えるボディアートを提供することができた。【選択図】図１
2007161695.tif 000002
【特許請求の範囲】
【請求項１】
植物質色素で対象絵柄を記載したシートや型紙から、対象絵柄の植物質色素を人体皮膚表面に刷り込むことを特徴とする消えるボディアート。
【請求項２】
対象絵柄を予め記載したシートや型紙を人体表面に貼り、前記シートや型紙の裏面側から絵柄を刷り込み、次いで、刷り込んだ絵柄のにじみ部を微修正した後に、消毒液にて人体表面を拭くことからなる消えるボディアートの刷り込み方法。
【請求項３】
前記対象絵柄を予め記載したシートや型紙は、所望の図柄表面に植物質色素から選択される色彩を塗布してあることを特徴とする請求項１記載の消えるボディアートの刷り込み方法。
【発明の詳細な説明】
【技術分野】
【０００１】  本発明は、人体の皮膚を痛めることなく希望の絵柄を人体表面に刷り込みできる消えるボディアートに関し、さらに詳しくは、希望絵柄表面に塗布した植物性色素を用いて人体に安全にすり込みが可能な消えるボディアート及びその刷り込み方法を提供するものである。
【背景技術】
【０００２】  従来、人体の皮膚表面に所望の絵を描くボディアートは芸能関係において良く知られているが、これらはその番組等が終了すると直ぐに洗い流すことによって元に戻している。【０００３】  一方で、自分にしかない絵柄を求めて入れ墨を身体に残す方法も知られているが、この場合、一旦、人体に入れた入れ墨は消去ができず、無理に消去する場合にはケロイドが残るという問題があった。【０００４】  この入れ墨を行う手段は、通常、皮下に染色液を差し込む刺針を適当な棒の先に取付け、同刺針の針先に染色液を付けて所用の位置を刺針で刺し、皮下に染色液を注入することによって行われている。【０００５】  近年は、電気的に進退可能なロッドを用いて、その先端に刺針を取付けることによって刺針の差し込み時間の短縮を図るようになっている。
【発明の開示】
【発明が解決しようとする課題】
【０００６】  近年は、このように独自の絵柄を自分のみに描きたいが、一方で、容易に取消が可能な絵柄を望む声が多かったが、現在まで、そのような絵柄のすり込み手段は知られていなかった。
【課題を解決するための手段】
【０００７】  本発明者は、係る課題を解決するために鋭意研究したところ、食物質色素を用いてすり込みを続けると、これらの色素が皮膚に染み込み数ヶ月間皮膚表面に残ることを見いだし、さらに刷り込み、周囲の微修正等を行うと入れ墨と同様に部分的に鮮明な絵柄を刷り込めることを見いだし、本発明を提供することができた。【０００８】  すなわち本発明の第一は、植物質色素で対象絵柄を記載したシートや型紙から、対象絵柄の植物質色素を人体皮膚表面に刷り込むことを特徴とする消えるボディアートである。【０００９】  本発明の第二は、対象絵柄を予め記載したシートや型紙を人体表面に貼り、前記シートや型紙の裏面側から絵柄を刷り込み、次いで、刷り込んだ絵柄のにじみ部を微修正した後に、消毒液にて人体表面を拭くことからなる消えるボディアートの刷り込み方法である。【００１０】  本発明の第三は、前記対象絵柄を予め記載したシートや型紙は、所望の図柄表面に植物質色素から選択される色彩を塗布してあることを特徴とする請求項１記載の消えるボディアートの刷り込み方法である。
【発明の効果】
【００１１】  本発明の消えるボディアートは、刷り込み時から３ヶ月〜５年で自然と色が薄れていき、最後には皮膚細胞の生え替わりで元に戻るために、安心して希望の絵柄を刷り込むことが可能となっている。【００１２】  希望絵柄に塗布する色素は、人間が飲み込んでも良い植物質の色素を用いるために皮膚表面に刷り込んでも人体に対する悪影響は無いために、安心して使用可能な色素である。
【発明を実施するための最良の形態】
【００１３】  以下、図面を参照して本発明の詳細を述べるが、本発明の範囲はこれらに限定されるものではない。
【実施例１】
【００１４】  図１は、本発明に用いる対象絵柄の一例を示す平面図である。この対象絵柄は、好みの絵柄を下書きした図柄に植物質色素で色づけを行っている。【００１５】  所望の絵柄を記載したシート体１に好みの色彩を施し、ある程度乾燥したものを人体の好みの個所、例えば手、足、胸部、背中に表面からシート体１を貼り付け、シート体の背面側から図柄に沿って綿棒のように先端部がある程度の柔軟性を有する素材からなる刷り込み具で約２０〜３０分なぞった。【００１６】  この時点では、図柄の線が若干にじむために、にじんだ部分を綿棒や細筆で修正しできるだけ鮮明な外線を得るようにすることが好ましい。【００１７】  次いで、予め準備した青、黄、赤からなる３原色の植物質色素を組み合わせて、好みの色を出してから、先に描いた図柄の上に重ねるようにして塗布し、乾燥させた後に再度刷り込み具で刷り込み、同様に、図柄の外線が滲んだ場合には綿棒や細筆で修正する。【００１８】  一旦出来上がった絵柄を乾燥した後に、消毒用アルコールで洗浄して乾燥後、再度、先に描いた図柄の上に重ねるようにして塗布し、乾燥させた後に刷り込み具で刷り込み、同様に、図柄の外線が滲んだ場合には綿棒や細筆で修正する。【００１９】  このような工程を数回繰り返すことによって、図１及び図２に示す図柄が鮮明に描かれて、そのような状態で３ヶ月〜５年皮膚上に残ることを確認している。【００２０】  本発明で用いる植物質色素は、薬草やハーブ系植物から得られる天然色素であり、主として青、黄、赤からなる３原色の植物質色素を組み合わせて、好みの色を出してから、先に描いた図柄の上に重ねるようにして塗布し、乾燥させた後に再度刷り込み具で刷り込み、同様に、図柄の外線が滲んだ場合には綿棒や細筆で修正している。【００２１】  この場合、上記植物質色素は、春ウコンや紫ウコン等の薬草やハープ系植物を乾燥させて粉末にし、精製水、アルコール、グリセリンを用いて溶解するが、微量ながら認可されている合成染料を添加している。【００２２】  特に、黒色を出す場合には、鉄、酸化物、タイタニウム等のメタルを添加して、濃度の濃い黒色を得ている。【００２３】  また、色素の一例としてブドウ、ブルーベリー、紫芋、茄子の表皮やザクロ等の色素成分であるアントンシアニン色素は、青色系色素として用いる事ができる。
【図面の簡単な説明】
【００２４】
【図１】本発明に用いる対象絵柄のシートを示す平面図である。
【図２】別な図柄を示すシ−ト体の平面図である。
【符号の説明】
【００２５】１・・・シート体
２・・・図柄（蝶々Ａ）
３・・・図柄（蝶々Ｂ）
【図１】
2007161695.tif 000003
【図２】
2007161695.tif 000004